(57)【要約】【課題】本発明は、利得が高く、人体や床による伝搬減衰の影響が小さく、かつ偏波面の変動やフェージングに対応でき、端末を掴む手の影響を防止できるアンテナ装置及び携帯型通信装置を提供することを目的とする。【解決手段】本発明は、アンテナ素子（１１，１２）と、当該アンテナ素子と通信回路基板とを接続する給電線と、を備えるアンテナ装置であって、前記アンテナ素子は、直線状に延びる第１の金属部材１１ａ，１２ａと、当該第１の金属部材より長く、かつ当該第１の金属部材の端部から直角方向に直線状に延びる前記第２の金属部材１１ｂ，１２ｂと、を有し、２組の当該第１及び第２の金属部材は、略Ｕ字状を形成するように互いに線対照的に配置され、それぞれの組には、前記給電線が接続されている。【選択図】図３
2007036646.tif 000002
【特許請求の範囲】
【請求項１】
アンテナ素子と、当該アンテナ素子と通信回路基板とを接続する給電線と、を備えるアンテナ装置であって、
前記アンテナ素子は、略直線状に延びる第１の金属部材と、当該第１の金属部材より長く、かつ当該第１の金属部材の端部からほぼ直角方向に略直線状に延びる前記第２の金属部材と、を有し、２組の当該第１及び第２の金属部材は、略Ｕ字状を形成するように互いに線対照的に配置され、それぞれの組には、前記給電線が接続されていることを特徴とするアンテナ装置。
【請求項２】
請求項１記載のアンテナ装置において、前記アンテナ素子の第１及び第２の金属部材は、帯状であることを特徴とするアンテナ装置。
【請求項３】
請求項１記載のアンテナ装置において、前記アンテナ素子は、前記第２の金属部材の端部から前記アンテナ素子の内側に延びる第３の金属部材を有することを特徴とするアンテナ装置。
【請求項４】
無線通信を行う携帯型通信装置において、
当該通信装置は、通信機能を有する通信回路基板と、表示機能を有する表示回路基板と、前記通信回路基板に接続されるアンテナ素子と、を備え、
当該アンテナ素子は、前記通信回路基板上の部品を保持する保持部材の周囲に前記通信回路基板とほぼ平行に取り付けられ、ほぼ直線状に延びる第１の金属部材と、当該第１の金属部材より長く、かつ当該第１の金属部材の端部からほぼ直角方向に略直線状に延びる前記第２の金属部材と、を有し、２組の当該第１及び第２の金属部材は、略Ｕ字状を形成するように互いにほぼ線対照的に配置され、それぞれの組には、給電線が接続されていることを特徴とする携帯型通信装置。
【請求項５】
請求項４記載の携帯型通信装置において、前記アンテナ素子の第１及び第２の金属部材は、帯状であることを特徴とする携帯型通信装置。
【請求項６】
請求項４記載の携帯型装置において、前記アンテナ素子は、前記第２の金属部材の端部から前記アンテナ素子の内側に延びる第３の金属部材を有することを特徴とする携帯型通信装置。
【請求項７】
無線通信を行う携帯型通信装置であって、
当該通信装置は、通信機能を有する通信回路基板と、表示機能を有する表示回路基板と、前記通信回路基板に接続されるアンテナ素子と、外部から情報と取り込む情報入手回路基板と、を備え、
当該アンテナ素子は、前記通信回路基板上の部品を保持する保持部材の周囲に前記通信回路基板とほぼ平行に取り付けられ、ほぼ直線状に延びる第１の金属部材と、当該第１の金属部材より長く、かつ当該第１の金属部材の端部からほぼ直角方向に略直線状に延びる前記第２の金属部材と、を有し、２組の当該第１及び第２の金属部材は、略Ｕ字状を形成するように互いにほぼ線対照的に配置され、それぞれの組には、給電線が接続されている携帯型通信装置において、更に、前記情報入手回路基板は、当該情報入手回路の動作を開始するスイッチ部を備え、
当該スイッチ部は、押下力を吸収する金属板を有し、
前記金属板は、前記アンテナ素子と同一平行面上に配置され、前記第２の金属部材とほぼ同一方向に延びて、かつ当該同一方向とほぼ直角方向に相互に重なりを有することを特徴とする携帯型端末装置。
【請求項８】
請求項７記載の携帯型通信装置において、前記アンテナ素子の第１及び第２の金属部材は、帯状であることを特徴とする携帯型通信装置。
【請求項９】
請求項７記載の携帯型装置において、前記アンテナ素子は、前記第２の金属部材の端部から前記アンテナ素子の内側に延びる第３の金属部材を有することを特徴とする携帯型通信装置。
【発明の詳細な説明】
【技術分野】
【０００１】
本発明は、無線通信機能を有する携帯端末等に内蔵される型式のアンテナ装置及び当該アンテナ装置を備える携帯型通信装置に関するものである。
【背景技術】
【０００２】
近年、無線通信機能を搭載した携帯型通信端末は、その装置全体の小型化傾向が進んでおり、これに伴い、アンテナ装置の内蔵化が再検討されている。また、上述のように携帯端末の小型化が進むにつれて、内蔵型のアンテナ装置に与えられる装置筐体内のスペースが極めて狭くなってきている。
【０００３】
従来の内蔵型のアンテナ装置は、例えば、筐体を利用する逆Ｆ型アンテナのような接地型アンテナを採用していた。ところが、その接地型アンテナは、端末を掴むユーザの手の影響を受けるという短所がある。そこで、これに対処するため、ダイポールアンテナのような非接地型アンテナを採用し、エレメントを変形させることにより小型化を実現し、同時に、携帯端末の通信環境にて起こる偏波面の変動に対処していた（特許文献１参照）。
【特許文献１】特開２００５−１０１８０５号公報
【発明の開示】
【発明が解決しようとする課題】
【０００４】
しかし、従来の内蔵型のアンテナ装置は、その小型化により利得が大幅に低下する、アンテナ装置から放射される電波が、人体方向や床方向にも放射され、その伝搬減衰が大きいなどの課題を有していた。また、携帯型端末装置の通信環境にて起こるフェージングへ対応するためには、スペースダイバーシチが有効である。しかし、内蔵型のアンテナ装置へ与えられる筐体内のスペースが少ないため、２つ以上のアンテナを搭載することが難しく、端末側ではフェージングに対応できないという課題を有していた。
【０００５】
本発明は、上記従来の課題に鑑み、利得が高く、人体や床による伝搬減衰の影響が小さく、かつ偏波面の変動やフェージングに対応でき、端末を掴む手の影響を防止できるアンテナ装置及び携帯型通信装置を提供することを目的とする。
【課題を解決するための手段】
【０００６】
上記課題を解決するために、本発明のアンテナ装置では、アンテナ素子と、当該アンテナ素子と通信回路基板とを接続する給電線と、を備えるアンテナ装置であって、上記アンテナ素子は、ほぼ直線状に延びる第１の金属部材と、当該第１の金属部材より長く、かつ当該第１の金属部材の端部からほぼ直角方向に略直線状に延びる上記第２の金属部材と、を有し、２組の当該第１及び第２の金属部材は、略Ｕ字状を形成するように互いにほぼ線対照的に配置され、それぞれの組には、上記給電線が接続されている。
【０００７】
また、本発明の携帯型通信装置は、通信機能を有する通信回路基板と、表示機能を有する表示回路基板と、上記通信回路基板に接続されるアンテナ素子と、を備え、当該アンテナ素子は、上記通信回路基板上の部品を保持する保持部材の周囲に上記通信回路基板とほぼ平行に取り付けられ、略直線状に延びる第１の金属部材と、当該第１の金属部材より長く、かつ当該第１の金属部材の端部からほぼ直角方向に略直線状に延びる上記第２の金属部材と、を有し、２組の当該第１及び第２の金属部材は、略Ｕ字状を形成するように互いにほぼ線対照的に配置され、それぞれの組には、給電線が接続されている。
【０００８】
また、本発明の携帯型通信装置は、通信機能を有する通信回路基板と、表示機能を有する表示回路基板と、上記通信回路基板に接続されるアンテナ素子と、外部から情報と取り込む情報入手回路基板と、を備え、当該アンテナ素子は、上記通信回路基板上の部品を保持する保持部材の周囲に上記通信回路基板とほぼ平行に取り付けられ、略直線状に延びる第１の金属部材と、当該第１の金属部材より長く、かつ当該第１の金属部材の端部から直ほぼ角方向に略直線状に延びる上記第２の金属部材と、を有し、２組の当該第１及び第２の金属部材は、略Ｕ字状を形成するように互いにほぼ線対照的に配置され、それぞれの組には、給電線が接続されている携帯型通信装置において、更に、上記情報入手回路基板は、当該情報入手回路の動作を開始するスイッチ部を備え、当該スイッチ部は、押下力を吸収する金属板を有し、上記金属板は、上記アンテナ素子と同一平行面上に配置され、上記第２の金属部材とほぼ同一方向に延びて、かつ当該同一方向と略直角方向に相互に重なりを有する。
【発明の効果】
【０００９】
以上のように、本発明は、アンテナ素子を保持部材の周囲に取り付けることにより、利得が高く、人体や床による伝搬減衰の影響が小さく、かつ偏波面の変動やフェージングに対応でき、端末を掴む手の影響を防止できるアンテナ装置及び当該アンテナ装置を備える携帯型通信装置を実現する。
【発明を実施するための最良の形態】
【００１０】
第１の発明は、アンテナ素子と、当該アンテナ素子と通信回路基板とを接続する給電線と、を備えるアンテナ装置であって、上記アンテナ素子は、ほぼ直線状に延びる第１の金属部材と、当該第１の金属部材より長く、かつ当該第１の金属部材の端部からほぼ直角方向に略直線状に延びる上記第２の金属部材と、を有し、２組の当該第１及び第２の金属部材は、略Ｕ字状を形成するように互いにほぼ線対照的に配置され、それぞれの組には、上記給電線が接続されているアンテナ装置である。この構成により、偏波面の変動とフェージングに対応することができる。
【００１１】
第２の発明は、上記アンテナ装置において、上記アンテナ素子の第１及び第２の金属部材は、帯状であるアンテナ装置である。この構成により、小型化で、高利得で、破損しにくいアンテナ装置を実現できる。
【００１２】
第３の発明は、上記アンテナ装置において、上記アンテナ素子は、上記第２の金属部材の端部から上記アンテナ素子の内側に延びる第３の金属部材を有するアンテナ装置である。この構成により、アンテナ装置と当該アンテナ装置の接続先との間におけるインピーダンスの調整が不要にできる。
【００１３】
第４の発明は、無線通信を行う携帯型通信装置において、当該通信装置は、通信機能を有する通信回路基板と、表示機能を有する表示回路基板と、上記通信回路基板に接続されるアンテナ素子と、を備え、当該アンテナ素子は、上記通信回路基板上の部品を保持する保持部材の周囲に上記通信回路基板とほぼ平行に取り付けられ、略直線状に延びる第１の金属部材と、当該第１の金属部材より長く、かつ当該第１の金属部材の端部からほぼ直角方向に略直線状に延びる上記第２の金属部材と、を有し、２組の当該第１及び第２の金属部材は、略Ｕ字状を形成するように互いにほぼ線対照的に配置され、それぞれの組には、給電線が接続されている携帯型通信装置である。この構成により、人体や床による伝搬減衰の影響を小さく、偏波面の変動とフェージングに対応することができ、携帯型端末装置を掴む手の影響を防ぐことができ、携帯型端末装置を組み立てやすくすることができる。
【００１４】
第５の発明は、無線通信を行う携帯型通信装置であって、当該通信装置は、通信機能を有する通信回路基板と、表示機能を有する表示回路基板と、上記通信回路基板に接続されるアンテナ素子と、外部から情報を取り込む情報入手回路基板と、を備え、当該アンテナ素子は、上記通信回路基板上の部品を保持する保持部材の周囲に上記通信回路基板とほぼ平行に取り付けられ、略直線状に延びる第１の金属部材と、当該第１の金属部材より長く、かつ当該第１の金属部材の端部からほぼ直角方向に略直線状に延びる上記第２の金属部材と、を有し、２組の当該第１及び第２の金属部材は、略Ｕ字状を形成するように互いに線対照的に配置され、それぞれの組には、給電線が接続されている携帯型通信装置において、更に、上記情報入手回路基板は、当該情報入手回路の動作を開始するスイッチ部を備え、当該スイッチ部は、押下力を吸収する金属板を有し、上記金属板は、上記アンテナ素子と同一平行面上に配置され、上記第２の金属部材とほぼ同一方向に延びて、かつ当該同一方向と略直角方向に相互に重なりを有する携帯型端末装置である。この構成により、人体や床による伝搬減衰の影響を小さく、偏波面の変動とフェージングに対応することができ、携帯型端末装置を掴む手の影響を防ぐことができ、携帯型端末装置を組み立てやすくすることができる。
【００１５】
以下、本発明を実施するための最良の形態について、図１から図１０に沿って説明する。
【００１６】
（実施の形態１）
図１は、本発明の実施の形態であるアンテナ装置を搭載した通信機能を有する携帯型端末装置の外観斜視図であり、図２及び図３は、上記端末装置の水平断面図及び垂直断面図である。また、図４は、アンテナ素子の取り付け配置を示す外観斜視図である。以下に、本発明の実施の形態であるアンテナ装置及び携帯型通信装置の詳細について説明する。
【００１７】
図１において、１は、上記本実施の形態における携帯型端末装置であり、通信機能を備えている。この携帯型端末装置１は、筐体（ケーシング）２を備え、その本体正面部には、ユーザが各種入力を行うキーボード部３及び当該キーボード部３から入力された情報等を表示する表示部４が設けられている。
【００１８】
次に、図２、図３及び図４を参照して、キーボード部３及び表示部４の下側本体内部には、通信回路基板１３が内蔵されている。図２にて、通信回路基板１３は、２つの長方形状の基板を合わせ、かつその結合部を有する形状であり、携帯型端末装置１の長手方向に延びている。図３を参照して、筐体２内部において、当該基板１３の更に下側であって表示部４の反対側には、基板上に取り付けられた部品（図示せず）を保持する保持部材１５、１６が設けられている。
【００１９】
また、図２、図３及び図４を参照して、１１は、略直角に曲げられた導体、即ち、短部１１ａ（第１の金属部材）及び長部１１ｂ（第２の金属部材）からなる略Ｌ字形状の金属製のアンテナ素子であり、アンテナ素子１２も同様に、短部１２ａ、長部１２ｂを有する。この２つのアンテナ素子１１、１２は、略Ｕ字状に配置され、互いにほぼ左右対称的に通信回路基板１３上の保持部材１５の周囲を囲うように取り付けられている。即ち、アンテナ素子は、通信回路基板１３とほぼ平行に配置された保持部材１５の外周囲に当該保持部材１５とほぼ平行に取り付けられている。このアンテナ素子１１、１２は、帯状の金属部材で有り、通信機能を備えている。１４は、上記基板１３の端部とアンテナ素子１１、１２との端部とを結合するように設けられて、上記アンテナ素子へ平衡給電を行う給電線である。
【００２０】
以上のように構成されたアンテナ装置を備える携帯形通信装置について、その機能を説明する。先ず、アンテナ素子１１、１２の各部位における電波の放射方向について説明する。Ａの部位（１１ａ及び１２ａ）は、Ａに垂直方向、即ち、正のＺ軸方向に電波を放射する。尚、負のＺ軸方向にも電波を放射するが、通信回路基板１３や保持部材１５、１６があるため、大きく減衰する。Ｂ（１１ｂ）、Ｃ（１２ｂ）の部位も同様に垂直方向つまりＹ軸方向に電波を放射する。
【００２１】
次に、アンテナ素子１１、１２の各部位間の電波干渉について説明する。ＡとＢの間、ＡとＣの間は、互いに直交関係にあるため電波干渉は起こらない。ＢとＣの間は互いに直交関係でないため電波干渉が起こる。
【００２２】
図５は、ＢとＣの間の距離ＤによるＸＹ平面の指向性の変化を示す図である。距離Ｄにかかわらず、Ｘ軸方向は電波干渉により大幅に減衰しているが、Ｙ軸方向は距離Ｄが使用する電波の波長であるλの整数倍に一致しなければ電波が放射されていることがわかる。
【００２３】
図６は、携帯型端末装置の使用時の姿勢を示す図である。１７は人体である。１８は床である。また、１は携帯型端末装置である。携帯型端末装置１の使用時には、人体方向、床方向である負のＺ軸方向、Ｘ軸方向に放射される電波の伝搬減衰が大きいと考えられる。また、Ｙ軸方向、正のＺ軸方向では電波の伝搬減衰は小さいと考えられる。
【００２４】
以上により、図１、図２、図３及び図４のようにアンテナ素子１１、１２を置くことにより、電波の伝搬減衰の小さいＹ軸方向、正のＺ軸方向に電波を放射することが可能となり、人体や床による伝搬減衰の影響を小さくすることができる。また、アンテナ素子１１、１２のＡとＢの間、ＡとＣの間は、互いに直交しているため、偏波ダイバーシチの効果を得ることが可能となり、偏波面の変動に対応することができる。また、ＢとＣの間は互いに平行に配置されているため空間ダイバーシチの効果を得ることが可能となり、フェージングに対応することができる。また、アンテナ素子１１、１２は、非接地型の平衡アンテナとして動作するため、携帯型端末装置１を掴む手の影響を防ぐことができる。また、アンテナ素子１１、１２を保持部材１５の周囲に取り付けることにより、携帯型端末装置１を組み立てやすくすることができる。
【００２５】
なお、アンテナ素子１１、１２のＢとＣ間の距離Ｄを１波長以下にすることにより、Ｙ軸方向のビーム幅が広がり、Ｙ軸方向に一様に放射することができる。
【００２６】
なお、アンテナ素子１１、１２を線状ではなくて帯状にすることにより、アンテナ素子１１、１２の短縮率が向上し、アンテナの小型化が実現できる。また、アンテナ素子１１、１２の損失抵抗を低減するため、さらに利得を上げることができる。また、アンテナ素子１１、１２の強度が向上するため、破損しにくいアンテナ装置を実現できる。
【００２７】
（実施の形態２）
図７は、本発明の実施の形態２であるアンテナ装置を搭載した通信機能を有する携帯型端末装置の外観斜視図であり、図８及び図９は、上記端末装置の水平断面図及び垂直断面図である。また、図１０は、アンテナ素子の取り付け配置を示す外観斜視図である。
【００２８】
以下に、本発明の実施の形態であるアンテナ装置及び携帯型通信装置の詳細について説明する。図７において、１Ｂは、上記本実施の形態における携帯型端末装置であり、通信機能を備えている。この端末装置１Ｂは、筐体（ケーシング）２を備え、その本体正面部には、ユーザが各種入力を行うキーボード部３及び当該キーボード部３から入力された情報等を表示する表示部４が設けられている。
【００２９】
次に、図８、図９及び図１０を参照して、キーボード部３及び表示部４の下側本体内部には、通信回路基板１３が内蔵されている。図８にて、通信回路基板１３は、２つの長方形状の基板を合わせ、かつその結合部を有する形状であり、端末装置１Ｂの長手方向に伸びている。図９を参照して、筐体２内部において、当該基板１３の更に下側であって表示部４の反対側には、基板上に取り付けられた部品（図示せず）を保持する保持部材１５、１６が設けられている。
【００３０】
また、図８、図９及び図１０を参照して、１１は、ほぼ直角に曲げられた導体、即ち、短部１１ａ（第１の金属部材）及び長部１１ｂ（第２の金属部材）からなる略Ｌ字形状の金属製のアンテナ素子であり、アンテナ素子１２も同様に、短部１２ａ、長部１２ｂを有する。この２つのアンテナ素子１１、１２は、略Ｕ字状に配置され、互いにほぼ左右対称的に通信回路基板１３上の保持部材１５の周囲を囲うように取り付けられている。即ち、アンテナ素子は、通信回路基板１３と平行に配置された保持部材１５の周囲に当該保持部材１５とほぼ平行に取り付けられている。このアンテナ素子１１、１２は、帯状の金属部材で有り、通信機能を備えている。更に、アンテナ素子１１、１２には、第２の金属部材１１ｂ、１２ｂの端部には、第３の金属部材１１ｃ、１２ｃが設けられ、上記端部から第１の金属部材と平行な方向に延びている。１４は、上記基板１３の端部とアンテナ素子１１、１２との端部とを結合するように設けられて、上記アンテナ素子へ平衡給電を行う給電線である。
【００３１】
以上のように構成されたアンテナ装置を備える携帯形通信装置について、その機能を説明する。先ず、アンテナ素子１１、１２の各部位における電波の放射方向について説明する。Ａの部位（１１ａ及び１２ａ）は、Ａに垂直方向、即ち、正のＺ軸方向に電波を放射する。尚、負のＺ軸方向にも電波を放射するが、通信回路基板１３や保持部材１５、１６があるため、大きく減衰する。Ｂ（１１ｂ及び１１ｃ）、Ｃ（１２ｂ及び１２ｃ）の部位も同様に、１１ｃ及び１２ｃの部位の長さが１１ｂ及び１２ｂの部位の長さに比べて十分短いとき、垂直方向つまりＹ軸方向に電波を放射する。
【００３２】
次に、アンテナ素子１１、１２の各部位間の電波干渉について説明する。ＡとＢの間、ＡとＣの間は、互いに直交関係にあるため電波干渉は起こらない。ＢとＣの間は互いに直交関係でないため電波干渉が起こる。
【００３３】
図５は、ＢとＣの間の距離ＤによるＸＹ平面の指向性の変化を示す図である。距離Ｄにかかわらず、Ｘ軸方向は電波干渉により大幅に減衰しているが、Ｙ軸方向は距離Ｄが使用する電波の波長であるλの整数倍に一致しなければ電波が放射されていることがわかる。
【００３４】
以上により、図図７、図８、図９及び図１０のようにアンテナ素子１１、１２を置くことにより、電波の伝搬減衰の小さいＹ軸方向、正のＺ軸方向に電波を放射することが可能となり、人体や床による伝搬減衰の影響を小さくすることができる。また、アンテナ素子１１、１２のＡとＢの間、ＡとＣの間は、互いに直交しているため、偏波ダイバーシチの効果を得ることが可能となり、偏波面の変動に対応することができる。また、ＢとＣの間は互いに平行に配置されているため空間ダイバーシチの効果を得ることが可能となり、フェージングに対応することができる。また、アンテナ素子１１、１２は、非接地型の平衡アンテナとして動作するため、携帯型端末装置１Ｂを掴む手の影響を防ぐことができる。また、アンテナ素子１１、１２を保持部材１５の周囲に取り付けることにより、携帯型端末装置１Ｂを組み立てやすくすることができる。また、１１ｃ及び１２ｃの部位の長さを調整することにより、アンテナ素子１１、１２と通信回路基板１３との間のインピーダンスの整合を取ることができ、通信回路基板１３内におけるインピーダンスの調整が不要になる。
【００３５】
なお、アンテナ素子１１、１２のＢとＣ間の距離Ｄを１波長以下にすることにより、Ｙ軸方向のビーム幅が広がり、Ｙ軸方向に一様に放射することができる。
【００３６】
なお、アンテナ素子１１、１２を線状ではなくて帯状にすることにより、アンテナ素子１１、１２の短縮率が向上し、アンテナの小型化が実現できる。また、アンテナ素子１１、１２の損失抵抗を低減するため、さらに利得を上げることができる。また、アンテナ素子１１、１２の強度が向上するため、破損しにくいアンテナ装置を実現できる。
【００３７】
尚、図７、図８、図９及び図１０を参照して、保持部材１５内の位置には、外部から情報を取り込む情報入手回路基板２１が取り付けられている。アンテナ素子１１の外側の位置には、情報入手回路の動作を開始するスイッチ部２２とスイッチ部２２の押下力を吸収するための金属板２４が離隔して取り付けられている。同様にアンテナ素子１２の外側の位置には、情報入手回路の動作を開始するスイッチ部２３とスイッチ部２３の押下力を吸収するための金属板２５が離隔して取り付けられている。金属板２４は、アンテナ素子１１と同一水平面に位置し、かつ第２の金属部材１１ｂと平行である。更に、金属板２４とアンテナ素子１１の第２の金属部材１１ｂとは、お互いに延びる方向に対する垂直方向において重なりを有している。即ち、金属板２４と第２の金属部材１１ｂとは、お互いに平行に延びて横に並ぶ部分を備えている。金属板２５も同様に、アンテナ素子１２と同一水平面に位置し、かつ第２の金属部材１２ｂと平行であり、金属板２５と第２の金属部材１２ｂとは、お互いに平行に延びて横に並ぶ部分を備えている。
【００３８】
以上のように構成されたアンテナ装置について、その機能を説明する。金属板２４はアンテナ素子１１の長部１１ｂより短いとき、アンテナ素子１１の長部１１ｂの導波器として動作する。金属板２５も同様に、アンテナ素子１２の長部１２ｂの導波器として動作する。
【００３９】
以上により、図１０のように金属板２４、２５を置くことにより、Ｙ軸方向の電波の放射をさらに強めることが可能となり、実施の形態１におけるアンテナの人体や床による伝搬減衰の影響をさらに小さくすることができる。
【００４０】
なおアンテナ素子１１、１２のＢとＣ間の距離Ｄを１波長以下にすることにより、Ｙ軸方向のビーム幅が広がり、Ｙ軸方向に一様に放射することができる。
【００４１】
なおアンテナ素子１１、１２を線状ではなくて帯状にすることにより、アンテナ素子１１、１２の短縮率が向上し、アンテナの小型化が実現できる。また、アンテナ素子１１、１２の損失抵抗を低減するため、さらに利得を上げることができる。また、アンテナ素子１１、１２の強度が向上するため、破損しにくいアンテナ装置を実現できる。
【産業上の利用可能性】
【００４２】
本発明のアンテナ装置及び携帯型通信装置は、利得が高く、人体や床による伝搬減衰の影響が小さく、かつ偏波面の変動やフェージングに対応でき、端末を掴む手の影響を防止することができ、有用である。
【図面の簡単な説明】
【００４３】
【図１】本発明の実施の形態１における携帯型端末装置の外観斜視図
【図２】本発明の実施の形態１における携帯型端末装置の水平断面図
【図３】本発明の実施の形態１における携帯型端末装置の垂直断面図
【図４】本発明の実施の形態１におけるアンテナ装置のアンテナ素子の外観斜視図
【図５】本発明の実施の形態１におけるＸＹ平面の指向性の変化を示す図
【図６】本発明の実施の形態１における使用時の姿勢を示す図
【図７】本発明の実施の形態２における携帯型端末装置の外観斜視図
【図８】本発明の実施の形態２における携帯型端末装置の水平断面図
【図９】本発明の実施の形態２における携帯型端末装置の垂直断面図
【図１０】本発明の実施の形態２におけるアンテナ装置のアンテナ素子の外観斜視図
【符号の説明】
【００４４】
１    携帯型通信装置
２    ケーシング（筐体）
３    キーボード部
４    表示部
１１、１２    アンテナ素子
１５、１６    保持部材
１７    人体
１８    床
２１    情報入手回路基板
２２、２３    スイッチ部
２４、２５    金属板
【図１】
2007036646.tif 000003
【図２】
2007036646.tif 000004
【図３】
2007036646.tif 000005
【図４】
2007036646.tif 000006
【図５】
2007036646.tif 000007
【図６】
2007036646.tif 000008
【図７】
2007036646.tif 000009
【図８】
2007036646.tif 000010
【図９】
2007036646.tif 000011
【図１０】
2007036646.tif 000012